(57)【要約】【課題】マナーを守ることができ、使い勝手のよい携帯電子機器を提供する。【解決手段】音声出力の設定がモード２に設定されると、周囲の音の大きさが閾値を下回ると、警告音等の音声出力がＯＦＦされ、代わりにモニタ３８に所定の操作情報等が文字等で表示される。音声出力の設定がモード３に設定されると、周囲の音の大きさが閾値を超えると、警告音等の音声出力がＯＦＦされ、代わりにモニタ３８に所定の操作情報等が文字等で表示される。【選択図】      図６
2007124361.tif 000002
【特許請求の範囲】
【請求項１】
所定の情報を音声で告知する音声出力手段を備えた携帯電子機器において、
周囲の音の大きさを検出する周囲音検出手段と、
前記所定の情報を文字又は記号で表示する表示手段と、
前記周囲音検出手段で検出された周囲の音の大きさが閾値を超えると、前記音声出力手段から出力される音声の大きさがゼロになるように前記音声出力手段を制御する音声出力制御手段と、
を備えたことを特徴とする携帯電子機器。
【請求項２】
前記周囲音検出手段で検出された周囲の音の大きさが閾値を超えると、前記表示手段に前記所定の情報が文字又は記号で表示されるように制御する表示制御手段を備えたことを特徴とする請求項１に記載の携帯電子機器。
【請求項３】
前記音声出力手段から出力される音声の大きさを自動調節するモードに設定するモード設定手段を備え、前記音声出力制御手段は、前記モード設定手段で前記モードに設定され、前記周囲音検出手段で検出された周囲の音の大きさが閾値を超えると、前記音声出力手段から出力される音声の大きさがゼロになるように前記音声出力手段を制御することを特徴とする請求項１又は２に記載の携帯電子機器。
【請求項４】
前記表示制御手段は、前記モード設定手段で前記モードに設定され、前記周囲音検出手段で検出された周囲の音の大きさが閾値を超えると、前記表示手段に前記所定の情報が文字又は記号で表示されるように制御することを特徴とする請求項３に記載の携帯電子機器。
【請求項５】
所定の情報を音声で告知する音声出力手段を備えた携帯電子機器において、
周囲の音の大きさを検出する周囲音検出手段と、
前記所定の情報を文字又は記号で表示する表示手段と、
前記周囲音検出手段で検出された周囲の音の大きさが閾値を下回ると、前記音声出力手段から出力される音声の大きさがゼロになるように前記音声出力手段を制御する音声出力制御手段と、
を備えたことを特徴とする携帯電子機器。
【請求項６】
前記周囲音検出手段で検出された周囲の音の大きさが閾値を下回ると、前記表示手段に前記所定の情報が文字又は記号で表示されるように制御する表示制御手段を備えたことを特徴とする請求項５に記載の携帯電子機器。
【請求項７】
前記音声出力手段から出力される音声の大きさを自動調節するモードに設定するモード設定手段を備え、前記音声出力制御手段は、前記モード設定手段で前記モードに設定され、前記周囲音検出手段で検出された周囲の音の大きさが閾値を下回ると、前記音声出力手段から出力される音声の大きさがゼロになるように前記音声出力手段を制御することを特徴とする請求項５又は６に記載の携帯電子機器。
【請求項８】
前記表示制御手段は、前記モード設定手段で前記モードに設定され、前記周囲音検出手段で検出された周囲の音の大きさが閾値を下回ると、前記表示手段に前記所定の情報が文字又は記号で表示されるように制御することを特徴とする請求項７に記載の携帯電子機器。
【発明の詳細な説明】
【技術分野】
【０００１】
本発明は、携帯電子機器に係り、特に操作音や警告音などを出力する音声出力手段を備えた携帯電子機器に関する。
【背景技術】
【０００２】
デジタルカメラの多くは、カメラボディにスピーカを内蔵しており、操作音や警告音などを鳴らすことができるようにされている。
【０００３】
このデジタルカメラから発生される操作音や警告音などの音声は、時に周囲の人々に迷惑を掛ける場合がある。このため、操作音や警告音などは、通常、設定でＯＦＦできるようにされているが、ＯＦＦするのを忘れてしまう場合もある。
【０００４】
そこで、特許文献１〜３では、周囲の騒音状態に応じて出力する音量を調節することが提案されている。また、特許文献４では、周囲が暗くなると、自動的に消音することが提案されている。
【特許文献１】特開平７−２３１２７６号公報
【特許文献２】特開平８−８７４３０号公報
【特許文献３】特開２０００−１２７１０号公報
【特許文献４】特開平６−２３２９５９号公報
【発明の開示】
【発明が解決しようとする課題】
【０００５】
しかしながら、特許文献１〜３の方法では、音声出力を完全にＯＦＦすることはできないため、たとえば、コンサート会場などの静かな環境でも不用意に音が鳴ってしまい、周囲の人々に多大な迷惑を掛けるという問題がある。また、特許文献４の方法では、周囲が暗くなったときに、まったく操作状況等を把握できなくなり、使い勝手が悪くなるという欠点がある。
【０００６】
本発明は、このような事情に鑑みてなされたもので、マナーを守ることができ、使い勝手のよい携帯電子機器を提供することを目的とする。
【課題を解決するための手段】
【０００７】
請求項１に係る発明は、前記目的を達成するために、所定の情報を音声で告知する音声出力手段を備えた携帯電子機器において、周囲の音の大きさを検出する周囲音検出手段と、前記所定の情報を文字又は記号で表示する表示手段と、前記周囲音検出手段で検出された周囲の音の大きさが閾値を超えると、前記音声出力手段から出力される音声の大きさがゼロになるように前記音声出力手段を制御する音声出力制御手段と、を備えたことを特徴とする携帯電子機器を提供する。
【０００８】
請求項１に係る発明によれば、周囲の音の大きさが閾値を超えると、音声出力手段から出力される音声の大きさがゼロにされる。これにより、コンサート会場などの静かな場所で使用する場合であっても、周囲に迷惑をかけずに、携帯電子機器を使用することができる。
【０００９】
請求項２に係る発明は、前記目的を達成するために、前記周囲音検出手段で検出された周囲の音の大きさが閾値を超えると、前記表示手段に前記所定の情報が文字又は記号で表示されるように制御する表示制御手段を備えたことを特徴とする請求項１に記載の携帯電子機器を提供する。
【００１０】
請求項２に係る発明によれば、周囲の音の大きさが閾値以下の時は、音声で所定の情報がユーザに告知され、周囲の大きさが閾値を超えると、音声の代わりに表示手段に表示される文字又は図形で所定の情報がユーザに告知される。これにより、コンサート会場などの静かな場所で使用する場合であっても、周囲に迷惑をかけずに、確実に所定の情報をユーザに告知することができる。
【００１１】
請求項３に係る発明は、前記目的を達成するために、前記音声出力手段から出力される音声の大きさを自動調節するモードに設定するモード設定手段を備え、前記音声出力制御手段は、前記モード設定手段で前記モードに設定され、前記周囲音検出手段で検出された周囲の音の大きさが閾値を超えると、前記音声出力手段から出力される音声の大きさがゼロになるように前記音声出力手段を制御することを特徴とする請求項１又は２に記載の携帯電子機器を提供する。
【００１２】
請求項３に係る発明によれば、音声の大きさを自動調節するモードに設定した場合にのみ、周囲の音の大きさに応じて音声出力手段から出力される音声の大きさが自動調節される。
【００１３】
請求項４に係る発明は、前記目的を達成するために、前記表示制御手段は、前記モード設定手段で前記モードに設定され、前記周囲音検出手段で検出された周囲の音の大きさが閾値を超えると、前記表示手段に前記所定の情報が文字又は記号で表示されるように制御することを特徴とする請求項３に記載の携帯電子機器を提供する。
【００１４】
請求項４に係る発明によれば、音声の大きさを自動調節するモードに設定した場合にのみ、周囲の音の大きさに応じて音声による告知と文字等による告知とが切り替えられる。
【００１５】
請求項５に係る発明は、前記目的を達成するために、所定の情報を音声で告知する音声出力手段を備えた携帯電子機器において、周囲の音の大きさを検出する周囲音検出手段と、前記所定の情報を文字又は記号で表示する表示手段と、前記周囲音検出手段で検出された周囲の音の大きさが閾値を下回ると、前記音声出力手段から出力される音声の大きさがゼロになるように前記音声出力手段を制御する音声出力制御手段と、を備えたことを特徴とする携帯電子機器を提供する。
【００１６】
請求項１に係る発明によれば、周囲の音の大きさが閾値を下回ると、音声出力手段から出力される音声の大きさがゼロにされる。これにより、周囲がうるさい環境で使用する場合、無駄に音声が出力されるのを防止できる。
【００１７】
請求項６に係る発明は、前記目的を達成するために、前記周囲音検出手段で検出された周囲の音の大きさが閾値を下回ると、前記表示手段に前記所定の情報が文字又は記号で表示されるように制御する表示制御手段を備えたことを特徴とする請求項５に記載の携帯電子機器を提供する。
【００１８】
請求項６に係る発明によれば、周囲の音の大きさが閾値以上の時は、音声で所定の情報がユーザに告知され、周囲の大きさが閾値を下回ると、音声の代わりに表示手段に表示される文字又は図形で所定の情報がユーザに告知される。これにより、周囲がうるさい環境で使用する場合であっても、確実に所定の情報をユーザに告知することができる。
【００１９】
請求項７に係る発明は、前記目的を達成するために、前記音声出力手段から出力される音声の大きさを自動調節するモードに設定するモード設定手段を備え、前記音声出力制御手段は、前記モード設定手段で前記モードに設定され、前記周囲音検出手段で検出された周囲の音の大きさが閾値を下回ると、前記音声出力手段から出力される音声の大きさがゼロになるように前記音声出力手段を制御することを特徴とする請求項５又は６に記載の携帯電子機器を提供する。
【００２０】
請求項７に係る発明によれば、音声の大きさを自動調節するモードに設定した場合にのみ、周囲の音の大きさに応じて音声出力手段から出力される音声の大きさが自動調節される。
【００２１】
請求項８に係る発明は、前記目的を達成するために、前記表示制御手段は、前記モード設定手段で前記モードに設定され、前記周囲音検出手段で検出された周囲の音の大きさが閾値を下回ると、前記表示手段に前記所定の情報が文字又は記号で表示されるように制御することを特徴とする請求項７に記載の携帯電子機器を提供する。
【００２２】
請求項８に係る発明によれば、音声の大きさを自動調節するモードに設定した場合にのみ、周囲の音の大きさに応じて音声による告知と文字等による告知とが切り替えられる。
【発明の効果】
【００２３】
本発明に係る携帯電子機器によれば、マナーを守ることができ、使い勝手を向上させることができる。
【発明を実施するための最良の形態】
【００２４】
以下、添付図面を参照して本発明に係る携帯電子機器を実施するための最良の形態について説明する。
【００２５】
なお、ここでは本発明をデジタルカメラに適用した場合を例に説明する。
【００２６】
図１、図２は、それぞれ本発明が適用されたデジタルカメラの正面斜視図と背面斜視図である。
【００２７】
このデジタルカメラ１０は、所定の操作音や警告音等を発する機能を備えたデジタルカメラであって、そのカメラボディ１２は、薄く四角い箱状に形成されている。
【００２８】
カメラボディ１２の正面には、図１に示すように、撮影レンズ１４、ファインダ窓１６、ストロボ１８、マイクロフォン２０、セルフタイマランプ２２等が設けられており、上面には、シャッタボタン２４、電源ボタン２６等が設けられている。
【００２９】
また、カメラボディ１２の背面には、図２に示すように、ファインダ接眼部２８、スピーカ３０、電源ランプ３２、モードスイッチ３４、ズームボタン３６、モニタ３８、ＭＥＮＵボタン４０、ストロボボタン４２、ＤＩＳＰボタン４４、キャンセルボタン４６、マクロボタン４８、十字ボタン５０、ＳＥＴボタン５２等が設けられており、側面にはＵＳＢ端子５４が設けられている。
【００３０】
また、カメラボディ１２の底面には、バッテリカバー５６が開閉自在に設けられており、そのバッテリカバー５６の内側にバッテリーを収納するためのバッテリー収納室と、メモリカードを装填するためのメモリカードスロットとが設けられている。
【００３１】
撮影レンズ１４は、沈胴式のズームレンズで構成されており、デジタルカメラ１０の電源をＯＮすると、カメラボディ１２から繰り出される。
【００３２】
シャッタボタン２４は、いわゆる「半押し」と「全押し」とからなる二段ストローク式のスイッチで構成されている。静止画撮影時、デジタルカメラ１０は、このシャッタボタン２４を半押しすると、ＡＥ、ＡＦが作動し、全押しすると、撮影（画像の記録）を行う。また、動画撮影時、このシャッタボタン２４を全押しすると、音声付き動画の撮影を開始し、再度、シャッタボタン２４を全押しすると、音声付き動画の撮影を終了する。
【００３３】
電源ボタン２６は、デジタルカメラ１０の電源のＯＮ／ＯＦＦを指示するボタンとして機能する。この電源ボタン２６を押して、デジタルカメラ１０の電源をＯＮすると、電源ランプ３２が点灯する。
【００３４】
モードスイッチ３４は、デジタルカメラ１０のモードを設定するスイッチとして機能し、「静止画位置」、「動画位置」、「再生位置」の間をスライド自在に設けられている。デジタルカメラ１０は、このモードスイッチ３４を静止画位置に合わせることにより、静止画撮影モードに設定され、静止画の撮影が可能になり、動画位置に合わせることにより、動画撮影モードに設定され、音声付き動画の撮影が可能になる。また、再生位置に合わせることにより、再生モードに設定され、メモリカードに記録された静止画又は音声付き動画の再生が可能になる。
【００３５】
ズームボタン３６は、ズームテレボタン３６Ｔとズームワイドボタン３６Ｗとで構成されており、撮影時にズームを指示するボタンとして機能する。また、再生時には、モニタ３８に表示されている画像の拡大／縮小を指示するボタンとして機能する。
【００３６】
モニタ３８は、カラーＬＣＤで構成されている。このモニタ３８は、再生モード時に撮影済み画像を表示するための画像表示パネルとして利用されるとともに、各種設定時にメニュー画面を表示するためのユーザインターフェースとして利用される。また、撮影時には必要に応じてスルー画像が表示され、画角確認用の電子ファインダとして利用される。
【００３７】
ＭＥＮＵボタン４０は、各モードの通常画面からメニュー画面への切り替え、及び、メニュー画面から各モードの通常画面への切り替えを指示するボタンとして機能する。
【００３８】
ストロボボタン４２は、ストロボモードの切り替えを指示するボタンとして機能し、このストロボボタン４２を押すたびにストロボモードが、オート→強制発光→発光禁止→オートに切り替えられる。
【００３９】
ＤＩＳＰボタン４４は、モニタ３８の表示の切り替えを指示するボタンとして機能する。
【００４０】
キャンセルボタン４６は、入力操作のキャンセル等を指示するボタンとして機能する。
【００４１】
マクロボタン４８は、マクロ機能のＯＮ／ＯＦＦの切り替えを指示するボタンとして機能する。
【００４２】
十字ボタン５０は、上下左右４方向に押圧操作可能に構成されており、デジタルカメラ１０の設定状態に応じた機能が割り当てられる。
【００４３】
ＳＥＴボタン５２は、メニュー画面等において選択内容の確定や処理の実行を指示するボタンとして機能する。
【００４４】
図３は、デジタルカメラ１０の電気的構成を示すブロック図である。
【００４５】
同図に示すように、デジタルカメラ１０は、ＣＰＵ１１０、操作部（シャッタボタン２４、電源ボタン２６、モードスイッチ３４、ズームボタン３６、モニタ３８、ＭＥＮＵボタン４０、ストロボボタン４２、ＤＩＳＰボタン４４、キャンセルボタン４６、マクロボタン４８、十字ボタン５０、ＳＥＴボタン５２等）１１２、ＲＯＭ１１４、ＲＡＭ１１６、ＥＥＰＲＯＭ１１８、ＶＲＡＭ１２０、時計／カレンダ部１２２、撮影光学系１２４、撮影光学系駆動部１２６、撮像素子１２８、タイミングジェネレータ１３０、アナログ信号処理部１３２、Ａ／Ｄ変換器１３４、画像入力コントローラ１３６、画像信号処理部１３８、圧縮伸張処理部１４０、メディアコントローラ１４２、記憶メディア（メモリカード）１４４、ＵＳＢコントローラ１４６、ＵＳＢ端子５４、エンコーダ１４８、モニタ３８、ＯＳＤ部１５０、ＡＥ／ＡＷＢ検出部１５２、ＡＦ検出部１５４、ストロボ制御部１５６、ストロボ１８、音声信号処理部１５８、Ｄ／Ａ変換器１６０、スピーカアンプ１６２、スピーカ３０、マイクロフォン２０、マイクアンプ１６４、Ａ／Ｄ変換器１６６等で構成されている。
【００４６】
ＣＰＵ１１０は、デジタルカメラ１０の全体の動作を統括制御する制御手段として機能するとともに、各種演算処理を行う演算手段として機能し、操作部１１２からの入力に基づき所定の制御プログラムに従ってデジタルカメラ１０の各部を制御する。
【００４７】
ＲＯＭ１１４には、このＣＰＵ１１０が実行する制御プログラムの他、制御に必要な各種データ等が格納されており、ＥＥＰＲＯＭ１１８には、ユーザ設定情報等の各種設定情報等が格納されている。
【００４８】
ＲＡＭ１１６は、ＣＰＵ１１０の作業用領域として利用されるとともに、画像データの一時記憶領域として利用され、ＶＲＡＭ１２０は、モニタ３８に表示するための画像データ専用の一時記憶領域として利用される。
【００４９】
時計／カレンダ部１２２は、現在日時を計時し、計時した現在日時情報をＣＰＵ１１０からの指令に応じてＣＰＵ１１０に出力する。
【００５０】
撮影光学系１２４は、撮影レンズと絞りとシャッタを含み、
撮影光学系駆動部１２６に駆動されて動作する。
【００５１】
撮影レンズは、フォーカスレンズとズームレンズを含み、フォーカスレンズを撮影光学系駆動部１２６で駆動することにより焦点調節され、ズームレンズを撮影光学系駆動部１２６で駆動することにより変倍される。
【００５２】
また、絞りを撮影光学系駆動部１２６で駆動することにより、入射光量が調整され、シャッタを撮影光学系駆動部１２６で駆動することにより、撮像素子１２８の露光／遮光が行われる。
【００５３】
撮影光学系駆動部１２６は、ＣＰＵ１１０からの指令に従って、撮影光学系１２４を駆動する。
【００５４】
撮像素子１２８は、カラーＣＣＤで構成されており、その受光面には多数のフォトダイオード（受光素子）が配列されている。撮影光学系１２４を介して撮像素子１２８の受光面に入射した光は、各フォトダイオードによって入射光量に応じた量の信号電荷に変換されて蓄積される。
【００５５】
タイミングジェネレータ１３０は、ＣＰＵ１１０からの指令に従い、主として撮像素子１２８を駆動するためのタイミング信号を生成する。撮像素子１２８は、このタイミングジェネレータ１３０から加えられるタイミング信号に従って各フォトダイオードに蓄積された信号電荷を電圧信号（画像信号）として出力する。
【００５６】
アナログ信号処理部１３２は、撮像素子１２８から順次出力される画像信号を相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）し、増幅する。
【００５７】
Ａ／Ｄ変換器１３４は、アナログ信号処理部１３２から出力されたＲ、Ｇ、Ｂのアナログの画像信号をデジタルの画像信号に変換する。
【００５８】
画像入力コントローラ１３６は、所定容量のラインバッファを内蔵し、Ａ／Ｄ変換器１３４から出力された１画像分の画像信号を蓄積して、ＲＡＭ１１６に格納する。
【００５９】
画像信号処理部１３８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従って入力されたデジタル画像信号に所要の信号処理を施して輝度信号（Ｙ信号）と色差信号（Ｃｒ信号、Ｃｂ信号）とからなる画像データ（ＹＵＶデータ）を生成する。
【００６０】
圧縮伸張処理部１４０は、ＣＰＵ１１０からの指令に従って入力された画像データに圧縮処理を施し、所定フォーマット（たとえば、ＪＰＥＧ）の圧縮画像データを生成する。また、入力された圧縮画像データに伸張処理を施し、非圧縮の画像データ（ＹＵＶデータ）を生成する。
【００６１】
メディアコントローラ１４２は、ＣＰＵ１１０からの指令に従ってメモリカードスロットに装填された記憶メディア（メモリカード）１４４に対してデータの読み出し及び書き込みを行う。
【００６２】
ＵＳＢコントローラ１４６は、ＣＰＵ１１０からの指令に従い、ＵＳＢ端子５４に接続された外部機器（パソコンやプリンタ等）との間でＵＳＢ規格に従った通信を行う。
【００６３】
エンコーダ１４８は、ＣＰＵ１１０からの指令に従って入力された画像信号をモニタ３８に表示するための信号形式に変換して、モニタ３８に出力する。
【００６４】
ＯＳＤ（On Screen Display）部１５０は、ＣＰＵ１１０からの指令に従い、モニタ３８に表示するための文字や記号、図形を示す信号をエンコーダ１４８に出力する。
【００６５】
ＡＥ／ＡＷＢ検出部１５２は、ＣＰＵ１１０からの指令に従って、入力された画像信号からＡＥ制御及びＡＷＢ制御に必要な物理量を算出する。たとえば、ＡＥ制御に必要な物理量として、１画面を複数のエリア（たとえば１６×１６）に分割し、分割したエリアごとにＲ、Ｇ、Ｂの画像信号の積算値を算出する。ＣＰＵ１１０は、このＡＥ／ＡＷＢ検出部１５２から得た積算値に基づいて被写体の明るさ（被写体輝度）を検出して、撮影に適した露出値（撮影ＥＶ値）を算出し、算出した撮影ＥＶ値と所定のプログラム線図から絞り値とシャッタースピードを決定する。また、ＡＷＢ制御に必要な物理量として、１画面を複数のエリア（例えば、１６×１６）に分割し、分割したエリアごとにＲ、Ｇ、Ｂの画像信号の色別の平均積算値を算出する。ＣＰＵ１１０は、得られたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００６６】
ＡＦ検出部１５４は、ＣＰＵ１１０からの指令に従って、入力された画像信号からＡＦ制御に必要な物理量を算出する。本実施の形態のデジタルカメラ１０では、画像のコントラストによりＡＦ制御を行うものとし、ＡＦ検出部１５４は、入力された画像信号から画像の鮮鋭度を示す焦点評価値を算出する。ＣＰＵ１１０は、このＡＦ検出部１５４で算出される焦点評価値が極大となるように、フォーカスレンズの移動を制御する。
【００６７】
ストロボ制御部１５６は、ＣＰＵ１１０からの指令に従ってストロボ１８の発光を制御する。
【００６８】
音声信号処理部１５８は、ＣＰＵ１１０からの指令に従い、スピーカ３０から出力する音声信号を処理するとともに、マイクロフォン２０から取り込まれた音声信号を処理する。
【００６９】
スピーカ３０から出力する音声信号は、音声信号処理部１５８で所要の処理が施された後、電子ボリューム付きのＤ／Ａ変換器１６０でアナログの音声信号に変換される。そして、スピーカアンプ１６２で増幅されたのちスピーカ３０から出力される。ＣＰＵ１１０は、電子ボリューム付きのＤ／Ａ変換器１６０を制御して、スピーカ３０から出力する音の大きさ（音量）を調節する。
【００７０】
また、マイクロフォン２０から取り込まれた音声信号は、マイクアンプ１６４で増幅されたのち、Ａ／Ｄ変換器１６６でデジタルの音声信号に変換されて音声信号処理部１５８に入力される。音声信号処理部１５８は、入力された音声信号に所要の信号処理を施して音楽データを生成する。また、音声信号処理部１５８は、入力された音声信号を解析し、マイクロフォン２０から取り込まれた音の大きさを検出して、その検出結果をＣＰＵ１１０に出力する。
【００７１】
電源制御部１６８は、ＣＰＵ１１０からの指令に従ってバッテリ１７０からデジタルカメラ１０の各部に供給する電力を制御する。
【００７２】
本実施の形態のデジタルカメラ１０は、以上のように構成される。
【００７３】
次に、本実施の形態のデジタルカメラ１０の静止画撮影時における処理動作について説明する。
【００７４】
静止画撮影は、モードスイッチ３４を静止画位置に設定し、デジタルカメラ１０のモードを静止画撮影モードに設定することにより行われる。
【００７５】
静止画撮影モードに設定されると、モニタ３８にスルー画像が表示される。このスルー画像の表示は、次のように行われる。すなわち、撮像素子１２８で連続的に画像が撮像され、アナログ処理部１３２、Ａ／Ｄ変換器１３４、画像入力コントローラ１３６を介して順次ＲＡＭ１１６に格納される。ＲＡＭ１１６に格納された画像信号は、順次画像信号処理部１３８に加えられ、連続的に画像データが生成される。生成された画像データは、ＶＲＡＭ１２０に順次格納され、ＶＲＡＭ１２０からエンコーダ１４８を介して順次モニタ３８に出力される。これにより、撮像素子１２８で連続的に撮像された画像がモニタ３８に連続的に表示される。
【００７６】
撮影者は、このモニタ３８の表示を見ながらズームボタン３６を操作し、構図の調整を行う。そして、構図が決まったところで、シャッタボタン２４を半押しする。
【００７７】
シャッタボタン２４が半押しされると、ＣＰＵ１１０にＳ１ＯＮ信号が入力され、ＣＰＵ１１０は、このＳ１ＯＮ信号に応動してＡＥ、ＡＦ、ＡＷＢの各処理を実行する。
【００７８】
まず、撮像素子１２８から出力された画像信号が、アナログ処理部１３２、Ａ／Ｄ変換器１３４を介して画像入力コントローラ１３６に取り込まれ、ＲＡＭ１１６に格納される。ＲＡＭ１１６に格納された画像信号は、ＡＥ／ＡＷＢ検出部１５２並びにＡＦ検出部１５４に加えられる。
【００７９】
ＡＥ／ＡＷＢ検出部１５２は、入力された画像信号からＡＥ制御及びＡＷＢ制御に必要な物理量を算出し、ＣＰＵ１１０に出力する。ＣＰＵ１１０は、このＡＥ／ＡＷＢ検出部１５２からの出力に基づいて絞り値とシャッタースピードを決定するとともに、ホワイトバランス補正値を決定する。
【００８０】
また、ＡＦ検出部１５４は、入力された画像信号からＡＦ制御に必要な物理量を算出し、ＣＰＵ１１０に出力する。ＣＰＵ１１０は、このＡＦ検出部１５４からの出力に基づいてフォーカスレンズを駆動し、主要被写体にピントを合わせる。
【００８１】
この後、シャッタボタン２４が全押しされると、ＣＰＵ１１０にＳ２ＯＮ信号が入力され、このＳ２ＯＮ信号に応動して、ＣＰＵ１１０は画像の記録処理を実行する。
【００８２】
まず、上記のＡＥ処理で求めた絞り値、シャッタースピードで撮像素子１２８を露光し、記録用の画像信号の取り込みを行う。撮像素子１２８から出力された画像信号は、アナログ処理部１３２、Ａ／Ｄ変換器１３４を介して画像入力コントローラ１３６に取り込まれ、ＲＡＭ１１６に一旦格納される。そして、ＲＡＭ１１６から画像信号処理部１３８に入力される。
【００８３】
画像信号処理部１３８は、入力された画像信号に所要の信号処理を施して、輝度データと色差データとからなる画像データ（ＹＵＶデータ）を生成する。
【００８４】
画像信号処理部１３８で生成された画像データは、一旦ＲＡＭ１１６に格納されたのち、圧縮伸張処理部１４０に加えられる。圧縮伸張処理部１４０は、画像データを所定の圧縮フォーマット（たとえばＪＰＥＧ）に従って圧縮する。
【００８５】
圧縮された画像データは、再度ＲＡＭ１１６に格納され、所定フォーマット（たとえばＥｘｉｆ）の静止画像ファイルとして、メディアコントローラ１４２を介して記憶メディア１４４に記録される。
【００８６】
次に、本実施の形態のデジタルカメラ１０の動画撮影時における処理動作について説明する。
【００８７】
動画撮影は、モードスイッチ３４を動画位置に設定し、デジタルカメラ１０のモードを動画撮影モードに設定することにより行われる。
【００８８】
上記のように、動画撮影は、シャッタボタン２４を全押しすると、記録が開始され、更にもう一度全押しすると、記録が停止される。
【００８９】
シャッタボタン２４が全押しされると、ＣＰＵ１１０にＳ２ＯＮ信号が入力され、このＳ２ＯＮ信号に応動して、ＣＰＵ１１０は画像の記録処理を開始する。すなわち、ＡＥ制御、ＡＦ制御、ＡＷＢ調整を連続的に行いながら、撮像素子１２８で連続的に画像を撮像する。
【００９０】
撮像素子１２８から連続的に出力された画像信号は、アナログ処理部１３２、Ａ／Ｄ変換器１３４、画像入力コントローラ１３６を介して順次ＲＡＭ１１６に格納され、ＲＡＭ１１６から画像信号処理部１３８に加えられて、順次画像データが生成される。生成された画像データは、ＲＡＭ１１６を介して順次圧縮伸張処理部１４０に加えられ、所定の圧縮フォーマットで圧縮されてＲＡＭ１１６に格納される。
【００９１】
このように、シャッタボタン２４が全押しされると、ＣＰＵ１１０は、動画の記録制御を実行する。その一方でＣＰＵ１１０は音声の記録制御を実行する。すなわち、マイクロフォン２０から音声を取り込み、取り込んだ音声信号を音声信号処理部１５８で処理して音声データを生成し、生成した音声データをＲＡＭ１１６に格納する。
【００９２】
ＣＰＵ１１０は、再度シャッタボタン２２が全押しされたことを検知ると、画像の取り込みと、音声の取り込みを停止する。そして、ＲＡＭ１１６に格納された画像データと音声データを所定フォーマットの動画像ファイルとして、メディアコントローラ１４２を介して記憶メディア１４４に記録する。
【００９３】
次に、本実施の形態のデジタルカメラ１０の画像再生時における処理動作について説明する。
【００９４】
画像の再生は、モードスイッチ３４を再生位置に設定し、デジタルカメラ１０のモードを再生モードに設定することにより行われる。
【００９５】
再生モードに設定されると、ＣＰＵ１１０は、記憶メディア１４４に最後に記録された画像ファイルの圧縮画像データを読み出す。
【００９６】
読み出された圧縮画像データは、圧縮伸張処理部１４０で伸張処理され、非圧縮の画像データにされたのち、エンコーダ１４８を介してモニタ３８に出力される。これにより、記憶メディア１４４に記録されている画像ファイルがモニタ３８に再生表示される。
【００９７】
画像のコマ送りは、十字ボタン５０の左右のキー操作で行なわれ、右キーが操作されると、次の画像ファイルが再生され、左キーが操作されると、一つ前の画像ファイルが再生される。
【００９８】
動画の画像ファイルの場合は、先頭フレームの画像がモニタ３８に表示され、この状態でＳＥＴボタン５２が押されると、再生が開始される。
【００９９】
さて、上記のように本実施の形態のデジタルカメラ１０は、所定の操作音や警告音等を発する機能を備えている。すなわち、各種操作ボタンのボタン操作に連動して、スピーカ３０から所定の操作音が出力され、また、エラーなどが生じた場合にスピーカ３０から所定の警告音が出力される。また、撮影時には擬似的なシャッタ音がスピーカ３０から出力される。
【０１００】
このような操作音等が発せられることにより、ユーザは所定の操作が行われたことを確実に認識でき、また、エラーなどが生じている場合も素早く反応できるという利点がある。
【０１０１】
しかしながら、このような操作音等はコンサート会場などの静かな場所で発せられると、周囲の人々に迷惑をかけるという問題がある。
【０１０２】
また、その逆に周囲が騒々しい場所では、操作音等が鳴っていても聞き取ることができず、操作音等の発生が意味をなさないという問題がある。
【０１０３】
そこで、本実施の形態のデジタルカメラ１０では、周囲の音の大きさに応じてスピーカ３０から発生する操作音等の音声の出力を自動的にＯＮ／ＯＦＦし、ＯＦＦした場合は、代わりにモニタ３０に操作情報等を文字等で表示する。
【０１０４】
以下、このスピーカ３０から発生される音声の出力制御方法について説明する。
【０１０５】
スピーカ３０から発生される音声の出力制御はユーザの設定に基づいて行われる。この設定は所定の設定画面（音声出力の設定画面）で行われ、たとえば、メニュー画面から呼び出される。すなわち、メニュー画面に表示されるメニュー項目の中から音声出力設定の項目を選択することにより呼び出される。
【０１０６】
図４は、音声出力の設定画面の表示例を示している。操作音、警告音、シャッタ音の各項目について、「ＯＦＦ」、「モード１」、「モード２」、「モード３」の各モードが選択できるようにされている。
【０１０７】
ここで、「ＯＦＦ」は、常に音声の出力を停止するモードであり、「モード１」は、常に音声を出力するモードである。また、「モード２」は、周囲の音の大きさが規定音量を下回ると、音声出力をＯＦＦし、モニタ表示に切り替えるモードであり、「モード３」は、周囲の音の大きさが規定音量を超えると、音声出力をＯＦＦし、モニタ表示に切り替えるモードである。
【０１０８】
ユーザは、デジタルカメラ１０を使用する環境に応じて各項目で使用するモードを選択する。この選択は十字ボタン５０のボタン操作で行われる。
【０１０９】
すなわち、まず、図４（ａ）に示すように、設定する項目の上にカーソルを移動させる。そして、十字ボタン５０の右ボタンを押す。これにより、モードを設定する項目が選択される。
【０１１０】
モードを設定する項目が選択されると、図４（ｂ）に示すように、モニタ３８の表示がモードの選択画面に切り替わる。この選択画面では、選択可能なモードが一覧表示される。ユーザは、この一覧表示されたモードの中から設定を希望するモードの上にカーソルを移動させ、ＳＥＴボタン５２を押す。これにより、選択した項目で使用するモードが設定され、モニタ３８の表示が、図４（ａ）に示す、項目の選択画面に切り替われる。
【０１１１】
以上の操作を各項目について行い、設定完了後、ＭＥＮＵボタン４０を押す。これにより、音声出力の設定が完了する。
【０１１２】
なお、図４に示す例では、操作音がＯＦＦ、警告音がモード２、シャッタ音がモード２に設定された場合が示されている。
【０１１３】
図５は、音声出力の設定がモード２（周囲の音の大きさが規定音量を下回ると、音声出力をＯＦＦし、モニタ表示に切り替えるモード）に設定されたときの音声出力制御の処理手順を示すフローチャートである。
【０１１４】
電源がＯＮされると（ステップＳ１０）、ＣＰＵ１１０は、周囲の音の大きさの検出処理を行う（ステップＳ１１）。すなわち、マイクロフォン２０を介して周囲の音を取り込み、音声信号処理部１５８で音の大きさを検出し、その検出結果を取得する。そして、検出された周囲の音の大きさが、あらかじめ設定された閾値を下回ったか否か判定する（ステップＳ１２）。
【０１１５】
この判定の結果、検出された周囲の音の大きさが閾値を下回っていないと判定すると、音声出力をＯＮし、モニタ３８への操作情報等の出力をＯＦＦにする（ステップＳ１３）。すなわち、たとえば、操作音がモード２に設定されている場合には、所定の操作に応じて操作音がスピーカ３０から出力されるように制御する。また、警告音がモード２に設定されている場合には、警告時に警告音がスピーカ３０から出力されるように制御し、シャッタ音がモード２に設定されている場合には、レリーズ操作に連動してシャッタ音がスピーカ３０から出力されるように制御する。
【０１１６】
一方、ステップＳ１２での判定の結果、検出された周囲の音の大きさが閾値を下回っていると判定すると、音声出力をＯＦＦ（音の大きさをゼロ）し、モニタ３８への操作情報等の表示出力をＯＮする（ステップＳ１４）。すなわち、たとえば、操作音がモード２に設定されている場合には、操作音をＯＦＦし、その代わりに、図６（ａ）に示すように、操作に応じて所定の操作情報がモニタ３８に表示出力されるように制御する。また、警告音がモード２に設定されている場合には、警告音をＯＦＦし、その代わりに、図６（ｂ）に示すように、警告時にモニタ３８に所定の警告情報が表示出力されるように制御する。また、シャッタ音がモード２に設定されている場合には、シャッタ音をＯＦＦし、その代わりに、図６（ｃ）に示すように、レリーズ操作に連動して操作情報がモニタ３８に表示出力されるように制御する。
【０１１７】
この後、ＣＰＵ１１０は、電源がＯＦＦされたか否か判定し（ステップＳ１５）、電源がＯＦＦされたと判定すると、処理を終了する。一方、電源がＯＦＦされていないと判定すると、ステップＳ１１に戻り、上記の処理を繰り返し実行する。
【０１１８】
このように、モード２に設定された場合は、周囲の音の大きさが閾値を下回ると、音声出力がＯＦＦされ、代わりにモニタ３８に操作情報等が文字、記号等で表示される（周囲の音の大きさが閾値以上の時は、モニタ３８の表示がＯＦＦ、音声出力がＯＮ）。
【０１１９】
図７は、音声出力の設定がモード３（周囲の音の大きさが規定音量を超えると、音声出力をＯＦＦし、モニタ表示に切り替えるモード）に設定されたときの音声出力制御の処理手順を示すフローチャートである。
【０１２０】
電源がＯＮされると（ステップＳ２０）、ＣＰＵ１１０は、周囲の音の大きさの検出処理を行う（ステップＳ２１）。そして、検出された周囲の音の大きさが、あらかじめ設定された閾値を超えているか否か判定する（ステップＳ２２）。
【０１２１】
この判定の結果、検出された周囲の音の大きさが閾値を超えていないと判定すると、音声出力をＯＮし、モニタ３８への操作情報等の出力をＯＦＦにする（ステップＳ２３）。すなわち、たとえば、操作音がモード３に設定されている場合には、所定の操作に応じて操作音がスピーカ３０から出力されるように制御する。また、警告音がモード３に設定されている場合には、警告時に警告音がスピーカ３０から出力されるように制御し、シャッタ音がモード３に設定されている場合には、レリーズ操作に連動してシャッタ音がスピーカ３０から出力されるように制御する。
【０１２２】
一方、ステップＳ２３での判定の結果、検出された周囲の音の大きさが閾値を超えていると判定すると、音声出力をＯＦＦ（音の大きさをゼロ）し、モニタ３８への操作情報等の出力をＯＮする（ステップＳ２４）。すなわち、たとえば、操作音がモード３に設定されている場合には、操作音をＯＦＦし、その代わりに、図６（ａ）に示すように、操作に応じて所定の操作情報がモニタ３８に表示出力されるように制御する。また、警告音がモード３に設定されている場合には、警告音をＯＦＦし、その代わりに、図６（ｂ）に示すように、警告時にモニタ３８に所定の警告情報が表示出力されるように制御する。また、シャッタ音がモード３に設定されている場合には、シャッタ音をＯＦＦし、その代わりに、図６（ｃ）に示すように、レリーズ操作に連動して操作情報がモニタ３８に表示出力されるように制御する。
【０１２３】
この後、ＣＰＵ１１０は、電源がＯＦＦされたか否か判定し（ステップＳ２５）、電源がＯＦＦされたと判定すると、処理を終了する。一方、電源がＯＦＦされていないと判定すると、ステップＳ２１に戻り、上記の処理を繰り返し実行する。
【０１２４】
このように、モード３に設定された場合は、周囲の音の大きさが閾値を超えると、音声出力がＯＦＦされ、代わりにモニタ３８に操作情報等が文字、記号等で表示される（周囲の音の大きさが閾値以下のときは、音声出力がＯＮ、モニタ３８の表示出力がＯＦＦ）。
【０１２５】
以上説明したように、本実施の形態のデジタルカメラ１０では、音声出力の設定をモード２又はモード３に設定することにより、周囲の音の大きさに応じて操作音等の音声出力を自動的にＯＦＦするので、周囲に迷惑をかけることなく使用することができる。また、音声出力をＯＦＦした場合には、代わりにモニタ３８に操作情報等が文字又は記号で表示されるので、ユーザは確実に操作状況等を把握することができる。
【０１２６】
なお、本実施の形態では、ユーザの設定により、モード２又はモード３で音声出力が制御されるようにしているが、常にモード２又はモード３で動作するように制御してもよい。
【０１２７】
また、本実施の形態では、音声を出力する場合として、操作音、警告音、シャッタ音を例示しているが、この他、起動音や終了音、効果音等についても同様に制御してもよい。
【０１２８】
また、本実施の形態では、操作音や警告音、シャッタ音等の音声出力の設定を個別に設定しているが、一律に設定するようにしてもよい。
【０１２９】
また、本実施の形態では、音声を出力する場合、常に一定の音声で出力する場合を例に説明しているが、音声を出力する場合、周囲の音の大きさに応じて出力する音の大きさを変えるようにしてもよい。また、周囲の音の大きさが閾値を超えると又は下回ると、音声の出力をＯＦＦするようにしてもよい。
【０１３０】
また、これらの処理が行われるようにユーザが選択できるようにしてもよい。すなわち、音声出力の設定として、上記四つのモード（ＯＦＦ、モード１、モード２、モード３）に加えて、周囲の音の大きさに応じて出力する音の大きさを変えるモード（モード４）と、周囲の音の大きさが閾値を下回ると、音声の出力をＯＦＦするモード（モード５）と、周囲の音の大きさが閾値を超えると、音声の出力をＯＦＦするモード（モード６）を用意し、ユーザが選択できるようにする。
【０１３１】
図８は、音声出力の設定がモード４（周囲の音の大きさに応じて出力する音の大きさを変えるモード）に設定されたときの音声出力制御の処理手順を示すフローチャートである。
【０１３２】
電源がＯＮされると（ステップＳ３０）、ＣＰＵ１１０は、周囲の音の大きさの検出処理を行う（ステップＳ３１）。そして、その検出された周囲の音の大きに応じてスピーカ３０から出力する音の大きさを設定する（ステップＳ３２）。この設定は、周囲の音の大きさに比例してスピーカ３０から出力される音の大きさが大きくなるように設定される。
【０１３３】
この後、ＣＰＵ１１０は、電源がＯＦＦされたか否か判定し（ステップＳ３３）、電源がＯＦＦされたと判定すると、処理を終了する。一方、電源がＯＦＦされていないと判定すると、ステップＳ３１に戻り、上記の処理を繰り返し実行する。
【０１３４】
このように、モード４に設定された場合は、周囲の音の大きさに応じてスピーカ３０から出力される音の大きさが変化する。これにより、操作音等をユーザに確実に認知させることができるようになる。
【０１３５】
図９は、音声出力の設定がモード５（周囲の音の大きさが閾値を下回ると、音声の出力をＯＦＦするモード）に設定されたときの音声出力制御の処理手順を示すフローチャートである。
【０１３６】
電源がＯＮされると（ステップＳ４０）、ＣＰＵ１１０は、周囲の音の大きさの検出処理を行う（ステップＳ４１）。そして、検出された周囲の音の大きさが、あらかじめ設定された閾値を下回っているか否か判定する（ステップＳ４２）。
【０１３７】
この判定の結果、検出された周囲の音の大きさが閾値を下回っていないと判定すると、音声出力をＯＮし、必要に応じて操作音等をスピーカ３０から出力する（ステップＳ４３）。
【０１３８】
一方、検出された周囲の音の大きさが閾値を下回っていると判定すると、音声出力をＯＦＦ（音の大きさをゼロ）し、操作音等の出力を停止する（ステップＳ４４）。
【０１３９】
この後、ＣＰＵ１１０は、電源がＯＦＦされたか否か判定し（ステップＳ４５）、電源がＯＦＦされたと判定すると、処理を終了する。一方、電源がＯＦＦされていないと判定すると、ステップＳ４１に戻り、上記の処理を繰り返し実行する。
【０１４０】
図１０は、音声出力の設定がモード５（周囲の音の大きさが閾値を超えると、音声の出力をＯＦＦするモード）に設定されたときの音声出力制御の処理手順を示すフローチャートである。
【０１４１】
電源がＯＮされると（ステップＳ５０）、ＣＰＵ１１０は、周囲の音の大きさの検出処理を行う（ステップＳ５１）。そして、検出された周囲の音の大きさが、あらかじめ設定された閾値を超えているか否か判定する（ステップＳ５２）。
【０１４２】
この判定の結果、検出された周囲の音の大きさが閾値を超えていないと判定すると、音声出力をＯＮし、必要に応じて操作音等をスピーカ３０から出力する（ステップＳ５３）。
【０１４３】
一方、検出された周囲の音の大きさが閾値を超えていると判定すると、音声出力をＯＦＦ（音の大きさをゼロ）し、操作音等の出力を停止する（ステップＳ５４）。
【０１４４】
この後、ＣＰＵ１１０は、電源がＯＦＦされたか否か判定し（ステップＳ５５）、電源がＯＦＦされたと判定すると、処理を終了する。一方、電源がＯＦＦされていないと判定すると、ステップＳ５１に戻り、上記の処理を繰り返し実行する。
【０１４５】
このように、設定可能なモードを増やすことにより、より使用状況に応じた音声出力の制御を行うことができ、使い勝手が向上する。
【０１４６】
なお、上記各種処理の判断基準となる音の閾値については、ユーザが任意に設定できるようにしてもよい。
【０１４７】
また、上記の実施の形態では、音声出力の設定をモニタ画面で行うようにしているが、カメラボディ１２に設置したスイッチ等で設定するようにしてもよい。
【０１４８】
また、上記実施の形態では、本発明をデジタルカメラに適用した場合を例に説明したが、音声出力機能を備えたものであれば、すべての携帯電子機器に適用することができる。たとえば、このほか携帯電話機やビデオカメラ、ＰＤＡ等の電子機器にも本発明は適用することができる。
【図面の簡単な説明】
【０１４９】
【図１】デジタルカメラの正面斜視図
【図２】デジタルカメラの背面斜視図
【図３】デジタルカメラの電気的構成を示すブロック図
【図４】音声出力の設定画面の表示例を示す図
【図５】音声出力の設定がモード２に設定されたときの音声出力制御の処理手順を示すフローチャート
【図６】操作情報等のモニタへの表示例を示す図
【図７】音声出力の設定がモード３に設定されたときの音声出力制御の処理手順を示すフローチャート
【図８】音声出力の設定がモード４に設定されたときの音声出力制御の処理手順を示すフローチャート
【図９】音声出力の設定がモード５に設定されたときの音声出力制御の処理手順を示すフローチャート
【図１０】音声出力の設定がモード６に設定されたときの音声出力制御の処理手順を示すフローチャート
【符号の説明】
【０１５０】
１０…デジタルカメラ、１２…カメラボディ、１４…撮影レンズ、１６…ファインダ窓、１８…ストロボ、２０…マイクロフォン、２２…セルフタイマランプ、２４…シャッタボタン、２６…電源ボタン、２８…ファインダ接眼部、３０…スピーカ、３２…電源ランプ、３４…モードスイッチ、３６…ズームボタン、３８…モニタ、４０…ＭＥＮＵボタン、４２…ストロボボタン、４４…ＤＩＳＰボタン、４６…キャンセルボタン、４８…マクロボタン、５０…十字ボタン、５２…ＳＥＴボタン、５４…ＵＳＢ端子、５６…バッテリカバー、１１０…ＣＰＵ、１１２…操作部、１１４…ＲＯＭ、１１６…ＲＡＭ、１１８…ＥＥＰＲＯＭ、１２０…ＶＲＡＭ、１２２…時計／カレンダ部、１２４…撮影光学系、１２６…撮影光学系駆動部、１２８…撮像素子、１３０…タイミングジェネレータ、１３２…アナログ信号処理部、１３４…Ａ／Ｄ変換器、１３６…画像入力コントローラ、１３８…画像信号処理部、１４０…圧縮伸張処理部、１４２…メディアコントローラ、１４４…記憶メディア、１４６…ＵＳＢコントローラ、１４８…エンコーダ、１５０…ＯＳＤ部、１５２…ＡＥ／ＡＷＢ検出部、１５４…ＡＦ検出部、１５６…ストロボ制御部、１５８…音声信号処理部、１６０…Ｄ／Ａ変換器、１６２…スピーカアンプ、１６４…マイクアンプ、１６６…Ａ／Ｄ変換器、１６８…電源制御部、１７０…バッテリ
【図１】
2007124361.tif 000003
【図２】
2007124361.tif 000004
【図３】
2007124361.tif 000005
【図４】
2007124361.tif 000006
【図５】
2007124361.tif 000007
【図６】
2007124361.tif 000008
【図７】
2007124361.tif 000009
【図８】
2007124361.tif 000010
【図９】
2007124361.tif 000011
【図１０】
2007124361.tif 000012